(57)【要約】【課題】消しゴムを本体軸から簡単に取り外して、単独の消しゴムと実質的に同様に良好な使い勝手で使用することができるとともに、字消し作業の際に、本体軸を前後逆さに持ち替える必要がないようにしたシャープペンシルを提供する。【解決手段】本体軸２の後端２ａに、この本体軸２に内蔵した芯繰出し機構をノック操作するためのノック操作筒体３を、本体軸２の径方向に取り外し可能に装着するとともに、前記ノック操作筒体３に、消しゴム４を装填させる。【選択図】     図４
2009126169.tif 000002
【特許請求の範囲】
【請求項１】
本体軸の後端に、この本体軸に内蔵させた芯繰出し機構をノック操作するためのノック操作筒体を、本体軸の径方向に取り外し可能に装着するとともに、前記ノック操作筒体に消しゴムを装填させたことを特徴とするシャープペンシル。
【請求項２】
本体軸の後端の周側壁を一部切欠いて、この切欠部を介して、ノック操作筒体を本体軸に着脱可能に装着するとともに、ノック操作筒体の周側壁が、前記切欠部において、本体軸の周側壁を補完するようにした請求項１記載のシャープペンシル。
【請求項３】
ノック操作筒体に、消しゴムを繰出し可能に装着した請求項１または２記載のシャープペンシル。
【請求項４】
ノック操作筒体に、消しゴムを繰出し可能に装着する手段として、ノック操作筒体を、本体軸内の後端に格納される外筒軸部と、この外筒軸部内に回動自在に挿嵌した内筒軸部と、この内筒軸部内の軸方向に摺動自在に組み付けられた、消しゴムの一端が保持される消しゴムホルダとにより構成するとともに、前記内筒軸部の後端に嵌着したノックキャップの回動によって、外筒軸部と内筒軸部とを互いに相対的に回動可能にし、かつ消しゴムホルダの外周部に形成した突起を、前記内筒軸部の軸方向に沿って形成したガイド溝を介して、前記外筒軸部の内周面に形成した螺旋溝に係合させて、前記消しゴムホルダを軸方向に移動させることにより、消しゴムを出没可能に繰り出すようにした請求項３記載のシャープペンシル。
【発明の詳細な説明】
【技術分野】
【０００１】
本発明は、消しゴムを備えたシャープペンシルに係り、詳しくは、消しゴムを本体軸から簡単に取り外して、単独の消しゴムと実質的に同様に良好な使い勝手で使用することができるようにしたシャープペンシルに関する。
【背景技術】
【０００２】
シャープペンシルは、本体軸に内蔵した芯繰出し機構を、本体軸の後端に突出させたノックキャップのノック操作によって作動させることにより、本体軸の前端から鉛筆芯を出没させて筆記可能にするとともに、筆記後の字消し時に、本体軸内に格納された消しゴムに被冠されたノックキャップを取り外すことによって、消しゴムを露出させて、本体軸を前後逆さに持ち替えることにより、字消し作業を行うのが一般的である（特許文献１参照）。
【０００３】
また、本体軸の後端に、消しゴム繰出し軸筒部を設けるとともに、この消しゴム繰出し軸筒部に消しゴムを保持させて、消しゴム繰出し軸筒部を、本体軸と共に相対的に回動させることにより、消しゴムを消しゴム繰出し軸筒部から出没させるとともに、筆記後の字消し作業を、本体軸を前後逆さに持ち替えて行うようにしたものも公知である（特許文献２参照）。
【０００４】
しかし、前記した各特許文献における字消し作業は、ノックキャップの取り外し後、あるいは消しゴム繰出し軸筒部からの消しゴムの繰出し後に、シャープペンシルの本体軸を前後逆さに持ち替えて行われるため、本体軸から簡単に取り外して、実質的に単独の消しゴムと同様な使用状態でもって用いることができず、消しゴムの使い勝手が悪い。
【０００５】
また、特許文献１に記載のものでは、ノックキャップに被冠される消しゴムが、芯繰出し機構を構成する芯タンクの開口端に消しゴムホルダーを介して嵌入されているため、消しゴムの径が細くて、折損し易く、これにより、長くすることができないばかりでなく、折損を防止するには、消しゴム素材の硬くする必要があり、消字性が低くなる傾向があるという問題があった。
【特許文献１】特開２００５−２３１１４８号公報
【特許文献２】特開２００２−３６２０８８号公報
【発明の開示】
【発明が解決しようとする課題】
【０００６】
本発明は、前記の現状に鑑み、消しゴムを本体軸から簡単に取り外して、単独の消しゴムと実質的に同様に良好な使い勝手で使用することができるとともに、字消し作業の際に、本体軸を前後逆さに持ち替える必要がないようにしたシャープペンシルを提供することを目的とする。
【課題を解決するための手段】
【０００７】
上記課題は、「特許請求の範囲」における各請求項に記載するように、次のような構成からなる発明によって解決される。
【０００８】
（１）本体軸の後端に、この本体軸に内蔵させた芯繰出し機構をノック操作するためのノック操作筒体を、本体軸の径方向に取り外し可能に装着するとともに、前記ノック操作筒体に消しゴムを装填させる。
【０００９】
（２） 上記（１）項において、本体軸の後端の周側壁を一部切欠いて、この切欠部を介して、ノック操作筒体を本体軸に着脱可能に装着するとともに、ノック操作筒体の周側壁が、前記切欠部において、本体軸の周側壁を補完するようにする。
【００１０】
（３） 上記（２）項において、ノック操作筒体に、消しゴムを繰出し可能に装着する。
【００１１】
（４） 上記（３）項において、ノック操作筒体に、消しゴムを繰出し可能に装着する手段として、ノック操作筒体を、本体軸内の後端に格納される外筒軸部と、この外筒軸部内に回動自在に挿嵌した内筒軸部と、この内筒軸部内の軸方向に摺動自在に組み付けられた、消しゴムの一端が保持される消しゴムホルダとにより構成するとともに、前記内筒軸部の後端に嵌着したノックキャップの回動によって、外筒軸部と内筒軸部とを互いに相対的に回動可能にし、かつ消しゴムホルダの外周部に形成した突起を、前記内筒軸部の軸方向に沿って形成したガイド溝を介して、前記外筒軸部の内周面に形成した螺旋溝に係合させて、前記消しゴムホルダを軸方向に移動させることにより、消しゴムを出没可能に繰り出すようにする。
【発明の効果】
【００１２】
本発明によると、次のような効果が奏せられる。
請求項１記載の発明によれば、本体軸の後端に、この本体軸に内蔵させた芯繰出し機構をノック操作するためのノック操作筒体を、本体軸の径方向に取り外し可能に装着するとともに、ノック操作筒体に消しゴムを装填させてあるため、ノック操作筒体の取り外しと共に消しゴムを、本体軸から簡単に取り外して、ノック操作筒体に装填された消しゴムを、ノック筒状体を握持して、単独の消しゴムと実質的に同様に良好な使い勝手で使用することができるとともに、字消し作業の際に、本体軸を前後逆さに持ち替える必要がない。
【００１３】
請求項２記載の発明によれば、本体軸の後端の周側壁を一部切欠いて、この切欠部を介して、ノック操作筒体を本体軸に着脱可能に装着するとともに、ノック操作筒体の周側壁が、切欠部において、本体軸の周側壁を補完するようにしてあるため、ノック操作筒体を本体軸の径方向に容易に取り外しできるとともに、本体軸の周側壁の補完により意匠的効果を高めることができる。
【００１４】
請求項３記載の発明によれば、消しゴムの消費に応じて、適度に繰り出して使用できるため、使い勝手がよい。
【００１５】
請求項４記載の発明によれば、本体軸からの取り外し後における消しゴムの繰り出しを容易に行うことができる。
【発明を実施するための最良の形態】
【００１６】
以下、本発明の実施形態を図面に基づいて詳細に説明する。
図１は、本発明における一実施形態のシャープペンシルの全体構成を示す正面図、図２は、本体軸の後端近傍における要部拡大縦断面図、図３は、ノック操作筒体を一部破断して示す拡大斜視図、図４は、本体軸からのノック操作筒体の取り外し状態を拡大して示す分解斜視図である。
【００１７】
図１に示すように、本発明のシャープペンシル１は、本体軸２の後端２ａに装填したノック操作筒体３と、このノック操作筒体３に装填させた消しゴム４とを有する。
【００１８】
ノック操作筒体３は、図２および図３に示すように、本体軸２内の後端２ａに格納される外筒軸部５と、この外筒軸部５内に回動自在に挿嵌した内筒軸部６と、この内筒軸部６内の軸方向に摺動自在に組み付けられた、消しゴム４の一端が保持される消しゴムホルダ７とにより、消しゴム繰出し機構を構成している。
【００１９】
内筒軸部６の後端６ａには、ノックキャップ８が嵌着されているとともに、このノックキャップ８の回動によって、内筒軸部６を回動させ、外筒軸部５と内筒軸部６とが互いに相対的に回動可能になっている。
【００２０】
消しゴムホルダ７の外周部には、突起９が形成されているとともに、この突起９を、内筒軸部６の軸方向に沿って形成したガイド溝１０を介して、外筒軸部５の内周面に形成した螺旋溝１１に係合させることにより、ノックキャップ８の回動による外筒軸部５と内筒軸部６との相対的な回動に伴って、消しゴムホルダ７を軸方向に移動させ、消しゴム４を出没可能に繰り出しうるようになっている。
【００２１】
外筒軸部５の外周側面には、張出し係着部１２が軸方向に沿って形成されているとともに、この張出し係着部１２は、図４に示すように、本体軸２における周側壁の一部を、軸筒の半径よりも小さな幅で軸方向に切欠いて形成した切欠部１３に、前記外筒軸部５が本体軸２の軸筒内に弾性的に抱持されるように、本体軸２の径方向から係着させることにより、ノック操作筒体３が、ノック操作可能となるように軸方向に摺動自在に、かつ本体軸２の径方向から取り外し可能に装着されている。
また、ノック操作筒体３は、前記切欠部１３において、張出し係着部１２の周側壁が、本体軸２の周側壁を補完しうるように着脱可能に組み付けられている。
【００２２】
ノック操作筒体３における外筒軸部５の前端は、芯繰出し機構を構成する芯タンク１４の開口端１４ａに当接し、芯タンク１４を介して、ノック操作筒体３のノック操作に連動して芯繰出し機構が作動するようになっている。
【００２３】
芯繰出し機構の作動により、本体軸２の前端２ｂから鉛筆芯１５が出没する。
【００２４】
また、ノック操作筒体３の本体軸２への装着状態においては、図２に示すように、内筒軸部６の前端が、消しゴム４の前端と共に芯タンク１４の後端の開口端１４ａ内に格納可能になっており、これにより、字消し後に、ノック操作筒体３を本体軸２内に装着する際、消しゴム４の前端を突出させたまま収容することができるため、消しゴム４の前端を完全に収容しなくても、ノック操作筒体３を本体軸２内に装着することができるとともに、消しゴム４前端の外部への露出を防止でき、外観上も良好である。
【図面の簡単な説明】
【００２５】
【図１】本発明における一実施形態のシャープペンシルの全体構成を示す正面図である。
【図２】本体軸の後端近傍における要部拡大縦断面図である。
【図３】ノック操作筒体を一部破断して示す拡大斜視図である。
【図４】本体軸からのノック操作筒体の取り外し状態を拡大して示す分解斜視図である。
【符号の説明】
【００２６】
１    シャープペンシル
２    本体軸
２ａ  後端
２ｂ  前端
３    ノック操作筒体
４    消しゴム
５    外筒軸部
６    内筒軸部
６ａ  後端
７    消しゴムホルダ
８    ノックキャップ
９    突起
１０  ガイド溝
１１  螺旋溝
１２  張出し係着部
１３  切欠部
１４  芯タンク（芯繰出し機構）
１４ａ  開口端
１５  鉛筆芯
【図１】
2009126169.tif 000003
【図２】
2009126169.tif 000004
【図３】
2009126169.tif 000005
【図４】
2009126169.tif 000006